(57)【特許請求の範囲】
【請求項１】
給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられ、給湯が行われずに非給湯側循環通路に熱媒体を循環させる非給湯側の運転のみを行う非給湯側単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温が上記バーナー燃焼を再開させる設定温度以下になったときにはバーナーの燃焼を再開させる非給湯側単独運転燃焼制御機能を備えた一缶二水路給湯器であって、前記非給湯側単独運転燃焼制御機能による動作のもとで予め定めた基準流量の熱媒体を非給湯側循環通路に循環させたときの非給湯側単独運転中における給湯熱交換器の湯温データの時間的変化の基準パターンが予め与えられ、非給湯側単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには非給湯側異常信号を出力する非給湯側単独運転異常判断部が設けられていることを特徴とする一缶二水路給湯器。
【請求項２】
給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられ、給湯が行われずに非給湯側循環通路に熱媒体を循環させる非給湯側の運転のみを行う非給湯側単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御機能を備えた一缶二水路給湯器であって、前記非給湯側単独運転燃焼制御機能による動作のもとで予め定めた基準流量の熱媒体を非給湯側循環通路に循環させたときの非給湯側単独運転中における給湯熱交換器の湯温データの時間的変化の基準パターンが予め与えられ、非給湯側単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには非給湯側異常信号を出力する非給湯側単独運転異常判断部が設けられていることを特徴とする一缶二水路給湯器。
【請求項３】
給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われない状態で追い焚きのみを行う追い焚き単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温がバーナー燃焼を再開させる設定温度以下になったときにはバーナーの燃焼を再開させる追い焚き単独運転燃焼制御機能とを備えた一缶二水路給湯器であって、前記追い焚き単独運転燃焼制御機能による動作のもとで予め定めた基準流量の浴槽湯水を追い焚き循環通路に循環させたときの追い焚き単独運転中における給湯熱交換器の湯温データの時間的変化の基準パターンが予め与えられ、追い焚き単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには追い焚き異常信号を出力する追い焚き単独運転異常判断部が設けられていることを特徴とする一缶二水路給湯器。
【請求項４】
給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われない状態で追い焚きのみを行う追い焚き単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる追い焚き単独運転燃焼制御機能とを備えた一缶二水路給湯器であって、前記追い焚き単独運転燃焼制御機能による動作のもとで予め定めた基準流量の浴槽湯水を追い焚き循環通路に循環させたときの追い焚き単独運転中の給湯熱交換器の湯温データの時間的変化の基準パターンが予め与えられ、追い焚き単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには追い焚き異常信号を出力する追い焚き単独運転異常判断部が設けられていることを特徴とする一缶二水路給湯器。
【請求項５】
湯温データの時間的変化の基準パターンは温度の周期的な変化パターンによって与えられ、非給湯側単独運転異常判断部は検出湯温データの時間的な変化パターンの波形の振幅が前記基準パターンの振幅から予め定められた許容範囲を越えて異なるときに非給湯側異常信号を出力することを特徴とする請求項１又は請求項２記載の一缶二水路給湯器。
【請求項６】
湯温データの時間的変化の基準パターンは温度の周期的な変化パターンによって与えられ、非給湯側単独運転異常判断部は検出湯温データの時間的な変化パターンの波形の周期が前記基準パターンの周期から予め定められた許容範囲を越えて異なるときに非給湯側異常信号を出力することを特徴とする請求項１又は請求項２記載の一缶二水路給湯器。
【請求項７】
湯温データの時間的変化の基準パターンは温度の周期的な変化パターンによって与えられ、非給湯側単独運転異常判断部は検出湯温データの時間的な変化パターンの波形の湯温上昇傾きと湯温下降傾きの一方又は両方の傾きが前記基準パターンの傾きから予め定められた許容範囲を越えて異なるときに非給湯側異常信号を出力することを特徴とする請求項１又は請求項２記載の一缶二水路給湯器。
【請求項８】
非給湯側単独運転異常判断部から非給湯側異常信号が出力されたときに非給湯側単独運転を強制的に停止させる非給湯側強制停止手段が設けられていることを特徴とする請求項１又は請求項２又は請求項５乃至請求項７のいずれか１つに記載の一缶二水路給湯器。
【請求項９】
非給湯側単独運転異常判断部から非給湯側異常信号が出力されたときに非給湯側の運転の異常を報知する非給湯側異常報知手段が設けられていることを特徴とする請求項１又は請求項２又は請求項５乃至請求項８のいずれか１つに記載の一缶二水路給湯器。
【請求項１０】
湯温データの時間的変化の基準パターンは温度の周期的な変化パターンによって与えられ、追い焚き単独運転異常判断部は検出湯温データの時間的な変化パターンの波形の振幅が前記基準パターンの振幅から予め定められた許容範囲を越えて異なるときに追い焚き異常信号を出力することを特徴とする請求項３又は請求項４記載の一缶二水路給湯器。
【請求項１１】
湯温データの時間的変化の基準パターンは温度の周期的な変化パターンによって与えられ、追い焚き単独運転異常判断部は検出湯温データの時間的な変化パターンの波形の周期が前記基準パターンの周期から予め定められた許容範囲を越えて異なるときに追い焚き異常信号を出力することを特徴とする請求項３又は請求項４記載の一缶二水路給湯器。
【請求項１２】
湯温データの時間的変化の基準パターンは温度の周期的な変化パターンによって与えられ、追い焚き単独運転異常判断部は検出湯温データの時間的な変化パターンの波形の湯温上昇傾きと湯温下降傾きの一方又は両方の傾きが前記基準パターンの傾きから予め定められた許容範囲を越えて異なるときに追い焚き異常信号を出力することを特徴とする請求項３又は請求項４記載の一缶二水路給湯器。
【請求項１３】
追い焚き単独運転異常判断部から追い焚き異常信号が出力されたときに追い焚き運転を強制的に停止させる追い焚き強制停止手段が設けられていることを特徴とする請求項３又は請求項４又は請求項１０乃至請求項１２のいずれか１つに記載の一缶二水路給湯器。
【請求項１４】
追い焚き単独運転異常判断部から追い焚き異常信号が出力されたときに追い焚き運転の異常を報知する追い焚き異常報知手段が設けられていることを特徴とする請求項３又は請求項４又は請求項１０乃至請求項１３のいずれか１つに記載の一缶二水路給湯器。
【発明の詳細な説明】
【０００１】
【発明の属する技術分野】
本発明は、給湯熱交換器と追い焚き熱交換器等の非給湯側熱交換器が一体化され、その一体化した熱交換器を共通のバーナーで加熱する一缶二水路給湯器に関するものである。
【０００２】
【従来の技術】
図４には出願人らが開発している一缶二水路給湯器としての一缶二水路風呂給湯器のシステム構成例が示されている。同図において、この一缶二水路風呂給湯器（器具）は燃焼室１を有し、この燃焼室１にはバーナー２が配設され、このバーナー２の上方には給湯熱交換器３と非給湯側熱交換器である追い焚き熱交換器４が設けられている。これら給湯熱交換器３と追い焚き熱交換器４は一体化されて配設されている。すなわち、複数の共通のフィンプレート５に給湯側の管路を貫通装着して給湯熱交換器３と成し、同じくフィンプレート５に追い焚き側の管路を貫通装着して追い焚き熱交換器４と成しており、上記バーナー２は給湯熱交換器３と追い焚き熱交換器４を共に加熱する構成になっている。
【０００３】
上記バーナー２の下方側の燃焼室１は給気通路６に連通され、この給気通路６には燃焼ファン７が組み込まれており、燃焼ファン７の回転駆動により外部から給気通路６を介してバーナー２へ空気が送り込まれると共に、バーナー２の燃焼により生じた排気ガスがバーナー２の上方の燃焼室１に連通する排気通路９から外部へ排出される。
【０００４】
上記バーナー２のガス導入口にはガスノズル１９が対向配設され、このガスノズル１９には燃料ガスを導入するためのガス供給通路８が接続されており、このガス供給通路８により導かれた燃料ガスはガスノズル１９を介してバーナー２に供給される。また、上記ガス供給通路８には通路の開閉を行う電磁弁１０，１１ａ，１１ｂと、ガスの供給量を開弁量により制御する比例弁１２とが介設されている。
【０００５】
前記給湯熱交換器３の入側には給水通路１３の一端側が接続され、給湯熱交換器３の出側には給湯通路１４の一端側が接続されており、上記給水通路１３の他端側は外部配管を介して水供給源に接続され、前記給湯通路１４の他端側は外部配管を介して台所等の所望の給湯場所に導かれている。また、上記給湯熱交換器３の入側の給水通路１３と出側の給湯通路１４を短絡するバイパス通路１５が設けられており、上記バイパス通路１５には通路の開閉を行うバイパス弁１６が介設されている。
【０００６】
前記追い焚き熱交換器４の入側には管路１８の一端側が接続され、この管路１８の他端側は循環ポンプ２０の吐出口に接続されており、循環ポンプ２０の吸入口には戻り管２１の一端側が接続され、戻り管２１の他端側は浴槽２２に連接されている。また、追い焚き熱交換器４の出側には管路２３の一端側が接続されており、この管路２３の他端側は前記浴槽２２に連接されている。上記戻り管２１と循環ポンプ２０と管路１８と追い焚き熱交換器４と管路２３により非給湯側循環通路である追い焚き循環通路２４が構成される。
【０００７】
上記追い焚き循環通路２４の管路１８と前記給湯通路１４は湯張り通路２５により連通されており、この湯張り通路２５には通路の開閉を制御する注湯制御弁２６と、浴槽２２の水位を検出する水位センサ２８とが設けられている。
【０００８】
なお、図中に示す３０は燃焼室１内の風量を検出する風量センサであり、３１は給水通路１３に設けられて給水の流量を検出する水量センサであり、３２は給水通路１３の水の温度を検出する入水温度センサであり、３４は給湯通路１４に設けられて通水流量を制御する流量制御弁であり、３５は給湯通路１４に設けられて給湯が行われていることを水流により検出する給湯確認スイッチであり、３６は追い焚き循環通路２４の水流の有無を検出する流水スイッチであり、３７は追い焚き循環通路２４の湯水温を浴槽湯水の温度（風呂温度）として検出する風呂温度センサであり、３８は給湯熱交換器３で作り出された湯の温度を検出する出湯温度センサである。
【０００９】
この一缶二水路風呂給湯器には制御装置４０が設けられており、この制御装置４０にはリモコン４１が接続されている。このリモコン４１には給湯温度を設定するための給湯温度設定手段や、浴槽２２の風呂の温度を設定する風呂温度設定手段や、浴槽２２の湯水の水位を設定する風呂水位設定手段等が設けられている。
【００１０】
上記制御装置４０は各種センサのセンサ出力信号やリモコン４１の情報を取り込み、それら情報と予め与えられているシーケンスプログラムに従って、給湯運転や、湯張り運転や、追い焚き運転等の各種の器具運転の動作を次のように制御する。
【００１１】
例えば、台所等に導かれた給湯通路の水栓が開けられ、水供給源から給水通路１３に水が流れ込んで水量センサ３１が給水通路１３の通水を検出すると、器具は給湯運転を開始する。まず、燃焼ファン７の回転駆動を開始させ、電磁弁１１ａ，１１ｂの両方又はどちらか一方と電磁弁１０を開動作させガス供給通路８を通してバーナー２に燃料ガスを供給し、図示されていない点着火手段によりバーナー２の点着火を行い燃焼を開始させる。
【００１２】
そして、給湯湯温が前記給湯温度設定手段に設定されている給湯設定温度となるように比例弁１２の開弁量を制御して（バーナー２への供給ガス量を制御して）バーナー２の燃焼能力を制御し、給湯熱交換器３の通水をバーナー２の燃焼火炎により加熱して設定温度の湯を作り出し、この湯を給湯通路１４を通して給湯場所に供給する。
【００１３】
湯の使用が終了して水栓が閉められると、給湯熱交換器３への通水が停止し、水量センサ３１が給水通路１３の通水を検知しなくなったときに、電磁弁１０を閉じてバーナー２の燃焼を停止させる。その後、予め定められたポストパージ期間（例えば、５分間）が経過したときに、燃焼ファン７の回転駆動を停止して給湯運転を終了し次の給湯に備える。
【００１４】
湯張り運転を行うときには、例えば、注湯制御弁２６を開弁し、この注湯制御弁２６の開弁動作により水供給源から給水通路１３に水が流れ込んで水量センサ３１が給水通路１３の通水を検知すると、上記給湯運転と同様にバーナー２の燃焼を開始させる。
【００１５】
このバーナー２の燃焼火炎により給湯熱交換器３で作り出された湯は給湯通路１４と湯張り通路２５を順に介して追い焚き循環通路２４に送り込まれ、追い焚き循環通路２４に流れ込んだ湯は戻り管２１を通る経路と追い焚き熱交換器４を通る経路との２経路で浴槽２２に落とし込まれる。そして、水位センサ２８が検出する浴槽２２の水位がリモコン４１に設定されている設定水位に達したときに、注湯制御弁２６を閉じ、電磁弁１０を閉じてバーナー２の燃焼を停止させ、湯張り運転を終了する。
【００１６】
追い焚き運転を行うときには、循環ポンプ２０を駆動させて浴槽２２内の湯水を追い焚き循環通路２４を通して循環させ、流水スイッチ３６によって追い焚き循環通路２４の湯水の流れを検知した後、バーナー２の燃焼を開始させる。そして、バーナー２の燃焼火炎により追い焚き熱交換器４の循環湯水を加熱して追い焚きを行い、風呂温度センサ３７により検出される風呂温度が前記風呂温度設定手段により設定されている設定温度に達したときに、バーナー２の燃焼を停止させ、追い焚き運転を終了する。
【００１７】
前記の如く、一缶二水路風呂給湯器は、一体化された給湯熱交換器３と追い焚き熱交換器４を共通のバーナー２を用いて加熱する方式であるので、別体に設けられた給湯熱交換器と追い焚き熱交換器をそれぞれ別個のバーナーを用いて燃焼加熱する方式に比べて、装置構成の簡易化が図れ、これに伴い、装置の小型化とコストの低減が図れることになる。
【００１８】
【発明が解決しようとする課題】
ところで、従来の一缶二水路風呂給湯器においては、前記の如く、追い焚き運転を行うときには、循環ポンプ２０の駆動によって生じる追い焚き循環通路２４の湯水の流れを流水スイッチ３６によって検知し、バーナー２の燃焼を開始させているが、浴槽２２から追い焚き循環通路２４に入り込んだ浴槽湯水には髪等のゴミが含まれていることから、ゴミが流水スイッチ３６に詰まり、このゴミ詰まりに起因して追い焚き循環通路２４に浴槽湯水がない、又は湯水の流れがないにもかかわらず、流水スイッチ３６から流水検知信号が出力され、この流水検知信号を受けてバーナー燃焼が行われ、空焚きが生じてしまうといった問題があった。
【００１９】
本発明は上記課題を解決するためになされたものであり、その目的は、追い焚き熱交換器側の空焚きや追い焚き循環通路に設けられる流水スイッチの故障等の追い焚きシステムの異常を判断することが可能であり、必要に応じて追い焚きシステムの異常に対処することができる一缶二水路風呂給湯器を提供し、さらには、一缶二水路風呂給湯器のみならず、給湯熱交換器と一体化して非給湯側熱交換器が設けられて両熱交換器を共通のバーナーで加熱する一缶二水路給湯器において、同様に、非給湯側システムの異常判断や異常への対処を行うことができるようにすることにある。
【００２０】
【課題を解決するための手段】
上記目的を達成するために、本発明は次のような構成をもって課題を解決するための手段としている。すなわち、第１の発明は、給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられ、給湯が行われずに非給湯側循環通路に熱媒体を循環させる非給湯側の運転のみを行う非給湯側単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温が上記バーナー燃焼を再開させる設定温度以下になったときにはバーナーの燃焼を再開させる非給湯側単独運転燃焼制御機能を備えた一缶二水路給湯器であって、前記非給湯側単独運転燃焼制御機能による動作のもとで予め定めた基準流量の熱媒体を非給湯側循環通路に循環させたときの非給湯側単独運転中における給湯熱交換器の湯温データの時間的変化の基準パターンが予め与えられ、非給湯側単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには非給湯側異常信号を出力する非給湯側単独運転異常判断部が設けられている構成をもって課題を解決するための手段としている。
【００２１】
また、第２の発明は、給水通路から導かれた水を加熱し給湯通路に湯を供給する給湯熱交換器と、給湯熱交換器の湯温を検出する給湯熱交換器湯温検出手段と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられ、給湯が行われずに非給湯側循環通路に熱媒体を循環させる非給湯側の運転のみを行う非給湯側単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる非給湯側単独運転燃焼制御機能を備えた一缶二水路給湯器であって、前記非給湯側単独運転燃焼制御機能による動作のもとで予め定めた基準流量の熱媒体を非給湯側循環通路に循環させたときの非給湯側単独運転中における給湯熱交換器の湯温データの時間的変化の基準パターンが予め与えられ、非給湯側単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには非給湯側異常信号を出力する非給湯側単独運転異常判断部が設けられている構成をもって課題を解決するための手段としている。
【００２２】
さらに、第３の発明は、給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われない状態で追い焚きのみを行う追い焚き単独運転中に上記給湯熱交換器湯温検出手段により検出される給湯熱交換器の湯温がバーナー燃焼を停止させる設定温度以上になったときにはバーナーの燃焼を停止させ、上記給湯熱交換器の湯温がバーナー燃焼を再開させる設定温度以下になったときにはバーナーの燃焼を再開させる追い焚き単独運転燃焼制御機能とを備えた一缶二水路給湯器であって、前記追い焚き単独運転燃焼制御機能による動作のもとで予め定めた基準流量の浴槽湯水を追い焚き循環通路に循環させたときの追い焚き単独運転中における給湯熱交換器の湯温データの時間的変化の基準パターンが予め与えられ、追い焚き単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには追い焚き異常信号を出力する追い焚き単独運転異常判断部が設けられている構成をもって課題を解決するための手段としている。
【００２３】
さらに、第４の発明は、給水通路から導かれた水を加熱し給湯通路に湯を供給する給湯熱交換器と、給湯熱交換器の湯温を検出する給湯熱交換器湯温検出手段と、追い焚き循環通路に組み込まれ上記追い焚き循環通路を循環する湯水を加熱する追い焚き熱交換器とを有し、上記給湯熱交換器と追い焚き熱交換器は一体化され、上記給湯熱交換器と追い焚き熱交換器を共通に加熱するバーナーが設けられ、上記給湯熱交換器で作られた湯を給湯通路を通して供給する給湯機能と、浴槽湯水を上記追い焚き循環通路の追い焚き熱交換器を通して加熱し風呂の追い焚きを行う追い焚き機能と、給湯が行われない状態で追い焚きのみを行う追い焚き単独運転中に上記給湯熱交換器湯温検出手段により検出される給湯熱交換器の湯温がバーナー燃焼能力を低下させる設定温度以上になったときにはバーナーの燃焼能力を低下させ、上記給湯熱交換器の湯温がバーナー燃焼能力を増加させる設定温度以下になったときにはバーナーの燃焼能力を増加させる追い焚き単独運転燃焼制御機能とを備えた一缶二水路給湯器であって、前記追い焚き単独運転燃焼制御機能による動作のもとで予め定めた基準流量の浴槽湯水を追い焚き循環通路に循環させたときの追い焚き単独運転中の給湯熱交換器の湯温データの時間的変化の基準パターンが予め与えられ、追い焚き単独運転中に前記給湯熱交換器湯温検出手段によって検出される給湯熱交換器の検出湯温データの時間的な変化パターンの予め定めた着目部位が前記基準パターンから予め定められた許容範囲を越えて異なるときには追い焚き異常信号を出力する追い焚き単独運転異常判断部が設けられている構成をもって課題を解決するための手段としている。
【００２４】
さらに、第５の発明は、前記第１の発明又は第２の発明の構成において、湯温データの時間的変化の基準パターンは温度の周期的な変化パターンによって与えられ、非給湯側単独運転異常判断部は検出湯温データの時間的な変化パターンの波形の振幅が前記基準パターンの振幅から予め定められた許容範囲を越えて異なるときに非給湯側異常信号を出力することを特徴として構成されている。
【００２５】
さらに、第６の発明は、前記第１の発明又は第２の発明の構成において、湯温データの時間的変化の基準パターンは温度の周期的な変化パターンによって与えられ、非給湯側単独運転異常判断部は検出湯温データの時間的な変化パターンの波形の周期が前記基準パターンの周期から予め定められた許容範囲を越えて異なるときに非給湯側異常信号を出力することを特徴として構成されている。
【００２６】
さらに、第７の発明は、前記第１の発明又は第２の発明の構成において、湯温データの時間的変化の基準パターンは温度の周期的な変化パターンによって与えられ、非給湯側単独運転異常判断部は検出湯温データの時間的な変化パターンの波形の湯温上昇傾きと湯温下降傾きの一方又は両方の傾きが前記基準パターンの傾きから予め定められた許容範囲を越えて異なるときに非給湯側異常信号を出力することを特徴として構成されている。
【００２７】
さらに、第８の発明は、前記第１又は第２の発明又は第５の発明乃至第７の発明のいずれか１つの構成に加え、非給湯側単独運転異常判断部から非給湯側異常信号が出力されたときに非給湯側単独運転を強制的に停止させる非給湯側強制停止手段が設けられている構成をもって課題を解決するための手段としている。
【００２８】
さらに、第９の発明は、前記第１又は第２の発明又は第５の発明乃至第８の発明のいずれか１つの構成に加え、非給湯側単独運転異常判断部から非給湯側異常信号が出力されたときに非給湯側の運転の異常を報知する非給湯側異常報知手段が設けられている構成をもって課題を解決するための手段としている。
【００２９】
さらに、第１０の発明は、前記第３の発明又は第４の発明の構成において、湯温データの時間的変化の基準パターンは温度の周期的な変化パターンによって与えられ、追い焚き単独運転異常判断部は検出湯温データの時間的な変化パターンの波形の振幅が前記基準パターンの振幅から予め定められた許容範囲を越えて異なるときに追い焚き異常信号を出力することを特徴として構成されている。
【００３０】
さらに、第１１の発明は、前記第３の発明又は第４の発明の構成において、湯温データの時間的変化の基準パターンは温度の周期的な変化パターンによって与えられ、追い焚き単独運転異常判断部は検出湯温データの時間的な変化パターンの波形の周期が前記基準パターンの周期から予め定められた許容範囲を越えて異なるときに追い焚き異常信号を出力することを特徴として構成されている。
【００３１】
さらに、第１２の発明は、前記第３の発明又は第４の発明の構成において、湯温データの時間的変化の基準パターンは温度の周期的な変化パターンによって与えられ、追い焚き単独運転異常判断部は検出湯温データの時間的な変化パターンの波形の湯温上昇傾きと湯温下降傾きの一方又は両方の傾きが前記基準パターンの傾きから予め定められた許容範囲を越えて異なるときに追い焚き異常信号を出力することを特徴として構成されている。
【００３２】
さらに、第１３の発明は、前記第３又は第４の発明又は第１０の発明乃至第１２の発明のいずれか１つの構成に加え、追い焚き単独運転異常判断部から追い焚き異常信号が出力されたときに追い焚き運転を強制的に停止させる追い焚き強制停止手段が設けられている構成をもって課題を解決するための手段としている。
【００３３】
さらに、第１４の発明は、前記第３又は第４の発明又は第１０の発明乃至第１３の発明のいずれか１つの構成に加え、追い焚き単独運転異常判断部から追い焚き異常信号が出力されたときに追い焚き運転の異常を報知する追い焚き異常報知手段が設けられている構成をもって課題を解決するための手段としている。
【００３４】
例えば、一缶二水路給湯器の一例としての一缶二水路風呂給湯器において、追い焚き運転が行われるときには、給湯熱交換器の水管をバーナーの燃焼火炎によって加熱し、給湯熱交換器の水管内の水を熱媒体として給湯熱交換器に接している追い焚き熱交換器の水管を加熱し、追い焚き熱交換器内の循環湯水を加熱するために、追い焚き循環通路の循環湯水は給湯熱交換器の水管の熱を吸熱し、この吸熱によって追い焚きが行われる。したがって、追い焚き循環通路の循環湯水の流量の違いによって前記吸熱の量に違いが生じ、それにより、追い焚き単独運転中に給湯熱交換器湯温検出手段によって検出される給湯熱交換器の検出湯温データが異なる。
【００３５】
上記構成の本発明においては、追い焚き単独運転中の給湯熱交換器の湯温データの基準パターンが予め与えられており、例えば追い焚き循環通路の湯水の流れがなく、追い焚き循環通路の湯水による給湯熱交換器側からの吸熱がほとんどないために、追い焚き単独運転中に給湯熱交換器湯温検出手段によって検出される給湯熱交換器の検出湯温データが前記基準パターンから予め定められた許容範囲を越えて異なるときには、追い焚き単独異常判断部により追い焚き異常信号が出力されるため、追い焚き循環通路の湯水の流れがない等の異常判断が確実に行われ、上記課題が解決される。
【００３６】
また、一缶二水路風呂給湯器以外の一缶二水路給湯器においても、本発明においては、非給湯側単独運転中の給湯熱交換器の湯温データの基準パターンを与え、この基準パターンに基づいて上記と同様に非給湯側システムの異常判断を行うことにより上記と同様に非給湯側システムの異常判断が確実に行われ、上記課題が解決される。
【００３７】
【発明の実施の形態】
以下、本発明の実施の形態を図面に基づいて説明する。なお、本実施形態例の一缶二水路給湯器は一缶二水路風呂給湯器であり、本実施形態例の説明において、従来例と同一名称部分には同一符号を付し、その重複説明は省略する。本実施形態例の一缶二水路風呂給湯器は、図４に示した一缶二水路風呂給湯器とほぼ同様のシステム構成を有しているが、本実施形態例の一缶二水路風呂給湯器においては、追い焚き循環通路２４に流水スイッチ３６を設けずに給湯器を構成している。また、本実施形態例においては、給湯熱交換器湯温検出手段としての図の破線に示す給湯熱交湯温センサ３３を、給湯熱交換器３のＵ字管に設け、さらに、制御装置４０に、図１に示すような本実施形態例の特有な制御構成を設けている。
【００３８】
図１に示すように、制御装置４０は、追い焚き燃焼強制開始手段４６、燃焼制御部４２、追い焚き単独運転監視部４３、追い焚き単独運転燃焼制御部４５、データ格納部４４、追い焚き強制停止手段４８、追い焚き単独運転異常判断部４９を有して構成されている。
【００３９】
燃焼制御部４２には、給湯や追い焚き等の様々な運転のシーケンスプログラムが与えられており、燃焼制御部４２はリモコン４１の情報や風呂温度センサ３７等のセンサ出力を取り込んで、それら取り込んだ情報とシーケンスプログラムに従って給湯器の燃焼運転動作を制御する。
【００４０】
追い焚き燃焼強制開始手段４６は、非給湯側燃焼強制開始手段であり、例えばリモコン４１等から追い焚き指示が与えられたときに、循環ポンプ２０を駆動させるともに、燃焼制御部４２にバーナー燃焼運転開始指令を加え、それにより、追い焚き循環通路２４の湯水の流れを検知せずにバーナー燃焼運転を直ちに開始させる。
【００４１】
追い焚き単独運転監視部４３は、上記燃焼制御部４２の運転情報を取り込み、この情報に基づき、例えば、循環ポンプ２０の駆動を検知している状態で給湯確認スイッチ３５又は水量センサ３１が通水を検知していないときには、器具が追い焚き単独運転をしていると検知し、それ以外のときには器具は追い焚き単独運転をしていないと検知する。
【００４２】
データ格納部４４には、バーナー燃焼を停止させる設定温度としてのオフ温度とバーナー燃焼を再開させる設定温度としてのオン温度が予め定められて格納されている。上記オフ温度は、例えば追い焚き単独運転中に給湯熱交換器３のピーク温度領域の滞留湯が沸騰に近い状態であることを示す予め定めた湯温（例えば、９０℃）である。上記オン温度は、上記オフ温度よりも予め定めた温度（例えば、３℃）分だけ低下させた湯温である。
【００４３】
追い焚き単独運転燃焼制御部４５は、非給湯側単独運転燃焼制御部であり、時々刻々と、給湯熱交湯温センサ３３のセンサ出力を給湯熱交換器３の湯温として検出し、また、データ格納部４４のオン温度とオフ温度および追い焚き単独運転監視部４３の監視情報を時々刻々と取り込み、取り込まれた検出給湯熱交換器湯温を前記オフ温度に比較し、上記追い焚き単独運転監視部４３の監視情報に基づき追い焚き単独運転中であると検知しているときに、給湯熱交換器３の湯温がオフ温度以上になったと判断したときに、バーナー２の燃焼を停止させる必要があると判断し、電磁弁１０を閉弁させバーナー２の燃焼を停止させる。
【００４４】
また、追い焚き単独運転燃焼制御部４５はバーナー燃焼停止信号を燃焼制御部４２に出力する。燃焼制御部４２は上記バーナー燃焼停止信号を受け、バーナー２の燃焼停止が追い焚き単独運転制御によりなされたものであり、器具の異常ではないと判断し、循環ポンプ２０の駆動等の器具運転動作を継続して行う。このため、上記追い焚き単独運転中のバーナー２の停止期間に循環ポンプ２０の駆動は継続される。
【００４５】
さらに、追い焚き単独運転燃焼制御部４５は、追い焚き単独運転中のバーナー２の燃焼停止中にも引き続き給湯熱交湯温センサ３３のセンサ出力と、データ格納部４４のオフ温度およびオン温度との取り込みを行って、給湯熱交湯温センサ３３により検出される給湯熱交換器３の湯温を前記オン温度に比較し、給湯熱交換器３の湯温がオン温度以下に低下したと判断したときに、バーナー２の燃焼を再開させてもよいと判断し、点着火手段（図示せず）を用いてバーナー２の点着火を行いバーナー２の燃焼を再開させる。
【００４６】
前記データ格納部４４には、追い焚き単独運転中の給湯熱交換器３の湯温データの基準パターンが予め与えられている。この基準パターンは、例えば図２の（ａ）に示すような、温度の周期的な変化パターンとしての正弦波状のパターンによって与えられており、例えば追い焚き循環通路２４の湯水循環流量が基準流量（例えば４リットル／ｍｉｎ）のときの追い焚き単独運転中の給湯熱交換器３の湯温データを予め実験等により求めて基準パターンとして与えられている。なお、本明細書において、正弦波状の波形とは、図２の（ａ）に示したようなアナログ波形のみならず、図２の（ｂ）に示すような形の崩れた正弦波状のアナログ波形、いわゆる交番状波形や、図５に示すようなデジタルデータの正弦波状のパターンも含む広い概念で用いている。
【００４７】
追い焚き単独運転異常判断部４９は、非給湯側単独運転異常判断部として機能し、追い焚き単独運転中に前記給湯熱交湯温センサ３３によって検出される給湯熱交換器３の検出湯温を取り込み、この検出湯温データが前記基準パターンから予め定められた許容範囲を越えて異なるときには追い焚き異常信号を出力するものである。
【００４８】
ところで、一缶二水路風呂給湯器においては、前記の如く、追い焚き循環通路２４の循環湯水が、給湯熱交換器３の水管内の湯水の熱を吸熱して追い焚きが行われるため、追い焚き循環通路２４の湯水循環流量によって追い焚き単独運転中の給湯熱交換器３の湯温データが異なる。
【００４９】
例えば、追い焚き循環通路２４の湯水循環流量が少ないときには、前記吸熱量が少ないために、例えば図２の（ｂ）に示すように、バーナー燃焼によって給湯熱交換器３の湯温は急に上昇し、前記オフ温度に早く達する。そして、給湯熱交換器３の湯温がオフ温度以上になってバーナー燃焼が停止されるが、給湯熱交換器３の湯温は、余熱により、温度上昇が急な分だけ高い温度まで上昇し、その後、緩やかに下降していく。
【００５０】
その後、給湯熱交換器３の湯温が前記オン温度以下になると、バーナー燃焼が再開され、バーナー燃焼再開時から給湯熱交換器３の湯温上昇開始までの遅れ時間経過以降に、給湯熱交換器３の湯温が再び急に上昇していく。なお、追い焚き循環通路２４の湯水循環流量が少ないときは、前記の如く、バーナー燃焼停止時の給湯熱交換器３の湯温下降が緩やかなため、給湯熱交換器３の湯温がオン温度以下となってから給湯熱交換器３の湯温が低下する割合は、追い焚き循環通路２４の湯水循環流量が多いときに比べて小さい。
【００５１】
したがって、図２の（ｂ）に示すように、追い焚き循環通路２４の湯水循環流量が前記基準流量よりも小さいときには、検出湯温データの波形の周期Ｔ1は、図２の（ａ）に示す前記基準パターンの周期Ｔ0よりも長くなり、この検出湯温データの波形の湯温上昇傾きθU1は基準パターンの湯温上昇傾きθU0よりも大きくなり、検出湯温データの波形の湯温下降傾きはθD1は基準パターンの湯温下降傾きθD0よりも小さくなる。また、このときの検出湯温データの波形の振幅Ａ1は基準パターンの振幅Ａ0よりも高温側にシフトし、検出湯温データの波形の振幅中心Ｃ1は基準パターンの振幅中心Ｃ0よりも高温となる。
【００５２】
そして、追い焚き循環通路２４の湯水の流れがないときには、例えば図３に示すように、検出湯温データの湯温上昇傾きθUEは極端に大きくなり、湯温下降傾きθDEは非常に小さくなり、周期ＴEは、例えば基準パターンの周期Ｔ0が４０秒程度であるのに対して周期ＴEは５分といったように非常に長くなる。また、このときの検出湯温データの振幅ＡEは基準パターンの振幅Ａ0に比べて大きく高温側にシフトし、検出湯温データの振幅中心ＣEも基準パターンの振幅中心Ｃ0に比べて非常に高温となる。
【００５３】
一方、追い焚き循環通路２４の湯水循環流量が前記基準流量よりも多いときには、追い焚き循環通路２４の循環湯水による給湯熱交換器３側からの吸熱量が多いために、給湯熱交換器３の湯温は、バーナー燃焼によって緩やかに上昇し、バーナー燃焼が停止されると急に下降する。
【００５４】
追い焚き単独運転異常判断部４９は、以上のような、追い焚き単独運転中の追い焚き循環通路２４の湯水循環流量によって異なる給湯熱交換器の湯温データ特性に基づき、前記の如く、追い焚き単独運転中に給湯熱交湯温センサ３３によって検出される給湯熱交換器３の検出湯温データを前記基準パターンと比較する。そして、検出湯温データの波形の振幅が基準パターンの振幅Ａ0から予め定められた許容範囲を越えて異なるときには追い焚き異常信号を出力する。また、検出湯温データの波形の周期が基準パターンの周期Ｔ0から予め定められた許容範囲を越えて異なるときにも、検出湯温データの波形の傾き（湯温上昇傾きと湯温下降傾きの一方又は両方）が基準パターンの対応する傾きθU0とθD0の一方又は両方から予め定められた許容範囲を越えて異なるときにも追い焚き異常信号を出力する。
【００５５】
なお、追い焚き単独運転異常判断部４９は、前記検出湯温データと前記基準パターンの比較に際し、前記振幅、周期、傾きの少なくとも１つを比較することによって、追い焚き循環通路２４の湯水の流れがない等の異常を判断することができるが、検出湯温データの波形の振幅、周期、傾きの２つ以上をそれぞれ、基準パターンの振幅、周期、傾きと比較して前記異常判断を行ってもよい。また、図３に示したような、追い焚き循環通路２４の湯水の流れがないときの給湯熱交換器３の湯温データは、図２の（ａ）に示したような基準パターンとは明らかに違うために、各グラフデータを重ね合わせて、前記異常判断を行うこともできる。
【００５６】
前記追い焚き強制停止手段４８は、非給湯側強制停止手段として機能し、追い焚き単独運転異常判断部４９から追い焚き異常信号が出力されたときに、追い焚き運転を強制的に停止させるものであり、追い焚き単独運転異常判断部４９から出力される追い焚き異常信号を受けて、追い焚き停止指令を追い焚き単独運転燃焼制御部４５と燃焼制御部４２に加え、追い焚き運転を強制的に停止させる。
【００５７】
図１に示すように、本実施形態例では、リモコン４１に非給湯側異常報知手段としての追い焚き異常報知手段５０が設けられている。追い焚き異常報知手段５０は、追い焚き単独運転異常判断部４９から追い焚き異常信号が出力されたときに、追い焚き運転の異常を報知するものであり、追い焚き運転の異常を、例えばブザーや、異常ランプの点灯又は点滅等の適宜の手段を用いて報知する。なお、追い焚き異常報知手段５０は、給湯器の制御装置４０側に設けることもできる。
【００５８】
本実施形態例は以上のように構成されており、本実施形態例でも、燃焼制御部４２の制御によって給湯燃焼運転、追い焚き燃焼運転が行われるが、本実施形態例では、追い焚き燃焼強制開始手段４６が設けられており、例えばリモコン４１から追い焚き指令が与えられたときには、循環ポンプ２０が駆動されるとともに、流水スイッチ３６による追い焚き循環通路２４の流水検知なしに追い焚き燃焼が開始される。そして、追い焚き単独運転中には、追い焚き単独運転燃焼制御部４５によって、前記の如く、給湯熱交湯温センサ３３の検出温度と前記オフ温度とオン温度に基づき、バーナー２の燃焼オン・オフ制御が行われる。
【００５９】
また、追い焚き単独運転中には、追い焚き単独運転異常判断部４９によって、給湯熱交湯温センサ３３の検出湯温が取り込まれ、給湯熱交湯温センサ３３によって検出される給湯熱交換器３の検出湯温データが、前記の如く、データ格納部４４に格納されている前記基準パターンと比較される。そして、追い焚き循環通路２４の湯水の流れがないときには、給湯熱交換器３の検出湯温データは、例えば図３に示すようなデータとなり、図２の（ａ）に示したような基準パターンと比較すると、振幅、周期、傾きの何れを比較しても大きく異なるために、前記検出湯温データは前記基準パターンから許容範囲を越えて異なり、追い焚きシステム側の異常があると判断されるために、追い焚き単独運転異常判断部４９から追い焚き異常信号が出力される。
【００６０】
そうすると、本実施形態例では、この追い焚き異常信号が追い焚き強制停止手段４８と追い焚き異常報知手段５０とに加えられ、追い焚き強制停止手段４８によって、追い焚き運転が強制的に停止されるとともに、追い焚き異常報知手段５０によって追い焚き運転の異常が報知される。
【００６１】
本実施形態例によれば、以上のように、追い焚き指令が与えられたときに、循環ポンプ２０を駆動させるとともに、流水スイッチ３６による追い焚き循環通路２４の流水検知なしに追い焚き燃焼を開始させ、追い焚き単独運転時には、給湯熱交湯温センサ３３の検出温度に基づいて追い焚き単独運転燃焼制御部４５によってバーナー２の燃焼オン・オフ制御を行うとともに、追い焚き単独運転異常判断部４９により、給湯熱交湯温センサ３３の検出湯温データに基づいて、追い焚き循環通路２４の湯水の流れがない等の追い焚きシステム側の異常判断が行われるために、たとえ流水スイッチ３６が故障したとしても、あるいは、流水スイッチ３６を給湯器に設けなくとも、追い焚きシステム側の異常の有無を確認しながら追い焚き単独運転を行うことができる。
【００６２】
そのため、比較的故障しやすい流水スイッチ３６による流水検知に左右されることなく追い焚き運転を行うことが可能となり、流水スイッチ３６の故障による不具合をなくすことができる。また、流水スイッチ３６を省略して給湯器を構成することにより、その分だけ給湯器のシステム構成を簡略化することが可能となり、コストダウンを図ることができる。
【００６３】
また、本実施形態例によれば、追い焚き単独運転燃焼制御部４５によって、前記の如く、前記オフ温度とオン温度に基づいてバーナー２の燃焼オン・オフ制御を行うために、例えば追い焚き循環通路２４の湯水の流れがないときにはバーナー燃焼によって給湯熱交換器３の湯温が急激に上昇し、前記オフ温度に達してすぐにバーナー燃焼停止が行われ、その後、給湯熱交換器３の湯温がオン温度以下にはなかなか下がらないために、給湯熱交換器３の湯温がオフ温度以上になった以降に引き続きバーナー燃焼が行われることはなく、追い焚き熱交換器側の空焚きを防止することができる。
【００６４】
その上、本実施形態例では、追い焚き強制停止手段４８を設け、追い焚き単独運転異常判断部４９から追い焚き異常信号が出力されたときには、追い焚き燃焼を停止させるために、追い焚き熱交換器側の空焚きをより一層確実に防止することができる。
【００６５】
さらに、本実施形態例によれば、追い焚き異常報知手段５０を設け、追い焚き単独運転異常判断部４９から追い焚き異常信号が出力されたときには、追い焚き燃焼の異常を報知するために、給湯器の利用者に、追い焚き循環通路２４の湯水の流れがない等といった追い焚きシステムの異常を報知し、注意を促すことができる。
【００６６】
なお、本発明は上記実施形態例に限定されることはなく、様々な実施の態様を採り得る。例えば、上記実施形態例では、追い焚き強制停止手段４８と追い焚き異常報知手段５０を設け、追い焚き単独運転異常判断部４９から追い焚き異常信号が出力されたときに、追い焚き強制停止手段４８によって追い焚き燃焼を強制的に停止させ、追い焚き異常報知手段５０によって追い焚き燃焼運転の異常を報知するようにしたが、追い焚き強制停止手段４８と追い焚き異常報知手段５０の一方又は両方を省略して本発明の一缶二水路給湯器を構成することもできる。
【００６７】
このように、追い焚き強制停止手段４８や追い焚き異常報知手段５０を省略した場合にも、本発明の一缶二水路給湯器においては、追い焚き単独運転燃焼制御部４５によって、前記オフ温度とオン温度に基づいてバーナー２の燃焼オン・オフ制御を行うために、給湯熱交湯温センサ３３の検出湯温がオフ温度以上になった以降にバーナー燃焼が引き続き行われることはないために、追い焚き循環通路２４の湯水の流れがないにも拘わらず、追い焚き燃焼運転が引き続き行われて空焚きが行われるといった危険を回避することができる。
【００６８】
さらに、上記実施形態例では、追い焚き単独運転中の給湯熱交換器３の湯温データの基準パターンとして、例えば図２の（ａ）に示したようなグラフデータを与えたが、基準パターンは、グラフデータの代わりに、例えば、湯温データの波形の振幅、周期、湯温上昇傾き、湯温下降傾き等をまとめた表データ等としてもよく、与えられる湯温データの基準パターンは適宜設定されるものである。
【００６９】
また、上記実施形態例では、追い焚き指示が与えられたときに、追い焚き燃焼強制開始手段４６により、循環ポンプ２０を直接駆動させたが、例えば追い焚き燃焼強制開始手段４６により燃焼制御部４２にポンプ駆動指令を加え、この指令によって、燃焼制御部４２により循環ポンプ２０を駆動させるようにしてもよい。
【００７０】
さらに、上記実施形態例では、追い焚き燃焼強制開始手段４６を設け、リモコン４１から追い焚き指示が加えられたときに、循環ポンプ２０を駆動させるとともに、追い焚き循環通路２４の流れを検知せずにバーナー燃焼運転を直ちに開始させるようにしたが、追い焚き燃焼強制開始手段４６は省略することもできる。
【００７１】
さらに、上記実施形態例では、追い焚き単独運転燃焼制御部４５は、追い焚き単独運転中に給湯熱交湯温センサ３３により検出される給湯熱交換器３の湯温がオフ温度以上になったときにはバーナー２の燃焼を停止させ、給湯熱交換器３の湯温がオン温度以下になったときにはバーナー２の燃焼を再開させるようにしたが、追い焚き単独運転燃焼制御部４５は、前記給湯熱交換器３の湯温がバーナー燃焼能力を低下させる設定温度以上になったときにはバーナー２の燃焼能力を低下させ、給湯熱交換器３の湯温がバーナー燃焼能力を増加させる設定温度以下になったときにはバーナー２の燃焼能力を増加させるようにしてもよい。
【００７２】
さらに、上記実施形態例では、給湯熱交湯温センサ３３は給湯熱交換器３のＵ字管に設けられていたが、図４の鎖線に示すように、給湯熱交換器３の出側に設けるようにしてもよい。
【００７３】
さらに、上記実施形態例では、給湯熱交換器３の湯温を給湯熱交湯温センサ３３から直接的に検出していたが、上記給湯熱交換器３の湯温は排気温度に基づき間接的に検出することが可能であることから、排気温度と給湯熱交換器３の湯温との関係データを予め実験や演算等により求めて与えておき、その関係データと排気温度によって給湯熱交換器３の湯温を間接的に検出する給湯熱交換器湯温検出手段を設けるようにしてもよい。より望ましくは、上記関係データと排気温度に基づき検出した給湯熱交換器湯温を、風呂温度センサ３７により検出される追い焚き循環通路の湯温や、予め定まる追い焚き循環湯量や、給気温度を考慮して補正することによって、より正確な給湯熱交換器３の湯温を検出することが可能である。
【００７４】
さらに、上記実施形態例では、流水スイッチ３６を省略したが、流水スイッチ３６を設けて一缶二水路風呂給湯器を構成しても構わない。
【００７５】
さらに、上記各実施形態例は図４に示す一缶二水路風呂給湯器を例にして説明したが、一缶二水路タイプで、給湯熱交換器の湯温を検出する給湯熱交換器湯温検出手段が設けられ、給湯機能と追い焚き機能を備えている一缶二水路風呂給湯器であれば、この発明を適用することができる。
【００７６】
さらに、本発明は一缶二水路風呂給湯器のみならず、給湯熱交換器と、非給湯側循環通路に組み込まれ上記非給湯側循環通路を循環する熱媒体を加熱する非給湯側熱交換器とを有し、上記給湯熱交換器と非給湯側熱交換器は一体化され、上記給湯熱交換器と非給湯側熱交換器を共通に加熱するバーナーが設けられている、例えば、図６に示すような給湯暖房機等の一缶二水路給湯器にも適用できる。なお、図６において、５１は非給湯側循環通路としての暖房用循環通路、５７は非給湯側熱交換器としての暖房用熱交換器を示しており、暖房用循環通路５１を循環する熱媒体としては、例えば、エチレングリコールとプロピレングリコールに水を加えたものが用いられる。また、図６の５２は暖房オン・オフバルブ、５３は放熱器、５４はファン、５５はシスターンタンク、５６はバイパス通路をそれぞれ示している。
【００７７】
【発明の効果】
本発明によれば、追い焚き等の非給湯側単独運転中に検出される給湯熱交換器の検出湯温データが、予め与えられる基準パターンから予め定められた許容範囲を越えて異なるときには、追い焚き異常信号を出力する追い焚き単独運転異常判断部や非給湯側異常信号を出力する非給湯側単独運転異常判断部を設けたものであるから、たとえ追い焚き循環通路等の非給湯側循環通路に湯水等の熱媒体の流れを検知する流水スイッチ等の流れ検知手段を設けなくとも、給湯熱交換器の検出湯温データに基づいて、追い焚き循環通路の湯水の流れがない、非給湯側循環通路の熱媒体の流れがない等の異常を判断することができる。
【００７８】
また、基準パターンを温度の周期的な変化パターンによって与え、検出湯温データの波形の振幅や周期や傾き等の各パラメータが基準パターンの対応するパラメータと予め定められた許容範囲を越えて異なるときに、追い焚き異常信号や非給湯側異常信号を出力する構成とした本発明によれば、検出湯温データの波形の上記各パラメータと基準パターンの対応する各パラメータとの比較によって、前記追い焚き等の非給湯側システムの異常を確実に判断することができる。
【００７９】
さらに、本発明によれば、追い焚き単独運転燃焼制御機能や非給湯側単独運転燃焼制御機能によって、追い焚き単独運転中および非給湯側単独運転中に検出される給湯熱交換器の湯温とバーナー燃焼停止、再開、バーナー燃焼能力低下、増加の各設定温度に基づいてバーナーの燃焼オン・オフ制御又はバーナーの燃焼能力の制御を行うことにより、例えば追い焚き循環通路、非給湯側循環通路の湯水や熱媒体の流れがないときには給湯熱交換器の湯温が急激に上昇してすぐにバーナー燃焼停止又はバーナー燃焼能力低下の設定温度に達し、バーナー燃焼を停止又はバーナーの燃焼能力を低下させることにより、追い焚き熱交換器や非給湯側熱交換器側の空焚きを防止できるために、たとえ追い焚き循環通路や非給湯側循環通路に流水スイッチ等の流水検知手段や熱媒体流れ検知手段を設けなくとも安全に追い焚き燃焼運転を行うことができる。
【００８０】
以上のように、本発明によれば、追い焚き循環通路や非給湯側循環通路に直接、流水検知手段や熱媒体流れ検知手段を設けなくとも追い焚き側、非給湯側の異常判断を行えるのに加え、安全に追い焚き燃焼運転および非給湯側燃焼運転を行うことができるために、流水スイッチ等を省略して給湯器を構成することも可能となる。そのため、比較的故障しやすい流水スイッチ等の検知信号に左右されずに追い焚き燃焼運転や非給湯側燃焼運転を行うことができるために、流水スイッチ等の故障に伴う不具合をなくすことができるし、流水スイッチ等を省略して給湯器を構成すれば、その分だけ給湯器のシステム構成を簡略化することが可能となり、給湯器のコストダウンを図ることができる。
【００８１】
さらに、非給湯側強制停止手段や追い焚き強制停止手段が設けられている本発明によれば、非給湯側システムや追い焚きシステム側の異常が生じたときに、非給湯側強制停止手段や追い焚き強制停止手段によって、非給湯側運転や追い焚き運転を強制的に停止させることにより、より一層安全な一缶二水路給湯器とすることができる。
【００８２】
さらに、非給湯側異常報知手段や追い焚き異常報知手段が設けられている本発明によれば、非給湯側運転や追い焚き運転の異常を報知することにより、給湯器の利用者に追い焚き運転の異常を報知し、異常に対する注意や対処を促すことができる。
【図面の簡単な説明】
【図１】本発明に係る一缶二水路給湯器の一実施形態例の制御構成を示すブロック図である。
【図２】上記実施形態例に与えられる給湯熱交換器の湯温データの基準パターン（ａ）と、追い焚き循環通路の湯水循環流量が少ないときの追い焚き単独運転中における給湯熱交換器の検出湯温データの一例（ｂ）を示すグラフである。
【図３】一缶二水路風呂給湯器において追い焚き循環通路の湯水の流れがないときの追い焚き単独運転中における給湯熱交換器の検出湯温データの一例を示すグラフである。
【図４】一缶二水路風呂給湯器のモデル例を示すシステム構成図である。
【図５】本発明の一缶二水路給湯器に与えられる給湯熱交換器の湯温データの基準パターンの別の例を示すグラフである。
【図６】一缶二水路給湯器としての給湯暖房機の一例を示す要部システム説明図である。
【符号の説明】
３  給湯熱交換器
２４  追い焚き循環通路
３３  給湯熱交湯温センサ
４４  データ格納部
４５  追い焚き単独燃焼制御部
４６  追い焚き燃焼強制開始手段
４８  追い焚き強制停止手段
４９  追い焚き単独運転異常判断部
５０  追い焚き異常報知手段
【図１】
0003872876.tif 000002
【図２】
0003872876.tif 000003
【図３】
0003872876.tif 000004
【図４】
0003872876.tif 000005
【図５】
0003872876.tif 000006
【図６】
0003872876.tif 000007